(57)【要約】【課題】  無駄な消費電力を招くことなく、ユーザーにとって使い勝手のよい新規なオンタイマー機能を有する放送受信装置及びその制御方法を提供することを主たる目的とする。【解決手段】  テレビジョン放送受信装置１１１は、室内の明るさを検知する明るさセンサー１１９を備えている。予めユーザーが設定された時刻になると、明るさセンサー１１９が起動し、室内の明るさに応じた入力値（基準値）を取得する。これを基準値とする。次に、明るさセンサー１１９は、再度室内の明るさに応じた入力値を取得する。基準値と、その後得られた入力値は不揮発性メモリ２６１ｃに記録する。次に、両者の差が所定の閾値を超えたか否かが判定される。閾値を超えていた場合、電源切替制御部２６１ｅは、テレビジョン放送受信装置１１１がオフ状態からオン状態となるように電源制御を行う。【選択図】      図２
2009194756.tif 000002
【特許請求の範囲】
【請求項１】
室内の明るさを検知する明るさセンサーを備える放送受信装置であって、
第１の時点で前記明るさセンサーを用いて検知した明るさと、前記第１の時点から所定時間経過後の第２の時点において前記明るさセンサーを用いて検知した明るさとを記憶する記憶手段と、
前記第１の時点と前記第２の時点の明るさの差が閾値を超えていた場合に、前記放送受信装置がオフ状態からオン状態となるように電源制御を行い、前記第１の時点と前記第２の時点との明るさの差が前記閾値を超えない場合に、前記放送受信装置のオフ状態を維持するように電源制御を行う制御部とを備えることを特徴とする放送受信装置。
【請求項２】
現在時刻を計測する時計部を備え、
前記制御部は、使用者が設定した時刻と、前記時計部が計測する現在時刻とが一致するか否かを判定する判定手段を含み、
前記制御部は、前記使用者が設定した時刻と、前記時計部が計測する現在時刻とが一致すると判定した場合、前記明るさセンサーが起動するよう制御することを特徴とする請求項１に記載の放送受信装置。
【請求項３】
前記制御部は、前記放送受信装置がオン状態のときに、前記明るさセンサーの検知結果に応じて画質調整を行うよう制御する画質調整制御部を含むことを特徴とする請求項１に記載の放送受信装置。
【請求項４】
前記明るさセンサーは、検知結果が前記電源制御に供される場合の第１の動作モードと、検知結果が前記画質調整に供される場合の第２の動作モードとを有し、
前記第１の動作モードの方が前記第２の動作モードに比して、周囲の明るさの変化に対する検知特性を高く設定していることを特徴とする請求項３に記載の放送受信装置。
【請求項５】
室内の明るさを検知する明るさセンサーを備える放送受信装置の制御方法であって、
第１の時点における明るさを、前記明るさセンサーを用いて検知するステップと、
前記第１の時点から所定時間経過後の第２の時点における明るさを、前記明るさセンサーを用いて検知するステップと、
前記第１の時点と前記第２の時点の明るさの差が閾値を超えているか否かを判定するステップと、
前記第１の時点と前記第２の時点の明るさの差が前記閾値を超えていた場合に、前記放送受信装置がオフ状態からオン状態になるように電源制御を行うステップとを有することを特徴とする放送受信装置の制御方法。
【発明の詳細な説明】
【技術分野】
【０００１】
この発明は、テレビジョン放送等の受信装置に関するものであり、特に明るさセンサーを備える放送受信装置及びその制御方法に関する。
【背景技術】
【０００２】
従来より、テレビジョン放送等の受信装置では、ユーザーが予め設定した時刻になると電源を自動的にオン状態にできる機能（以下、オンタイマー機能と称する）を有する受信装置が広く知られている。例えば、以下の特許文献１では、予め設定された時刻になると、オンタイマー機能に連係させてアラーム機能を動作させるテレビジョン受信装置が開示されている。
【特許文献１】特開平１０−２４８０４１号公報
【発明の開示】
【発明が解決しようとする課題】
【０００３】
従来技術におけるオンタイマー機能は、上記のとおりユーザーが設定した時刻になったらテレビがオフ状態（待機状態も含む）から映像及び音声の出力が伴うオン状態に移行するものである。
【０００４】
しかしながら、このオンタイマー機能では、オン状態になったテレビをユーザーが実際に視聴可能な状態にあるかどうかとは無関係にテレビがオン状態になる仕様である。
【０００５】
このため、ユーザーにとっては好ましくない状況が引き起こされ得る。具体的には例えば、ユーザーが室内に不在のとき（ユーザーが視聴しないとき）であってもテレビが自動的にオン状態となってしまい、無駄な消費電力を招いてしまうような状況である。
【０００６】
そこで本発明は、上記のような無駄な消費電力を招くことなく、ユーザーにとって使い勝手のよい新規なオンタイマー機能を有する放送受信装置及びその制御方法を提供することを主たる目的とする。
【課題を解決するための手段】
【０００７】
本発明は上記課題に鑑みてなされたものであり、その主な特徴は以下のとおりでる。すなわち、本発明の放送受信装置は、室内の明るさを検知する明るさセンサーを備える放送受信装置であって、第１の時点で前記明るさセンサーを用いて検知した明るさと、前記第１の時点から所定時間経過後の第２の時点において前記明るさセンサーを用いて検知した明るさとを記憶する記憶手段と、前記第１の時点と前記第２の時点の明るさの差が閾値を超えていた場合に、前記放送受信装置がオフ状態からオン状態となるように電源制御を行い、前記第１の時点と前記第２の時点との明るさの差が前記閾値を超えない場合に、前記放送受信装置のオフ状態を維持するように電源制御を行う制御部とを備えることを特徴とする。
【０００８】
また、本発明の放送受信装置の制御方法は、室内の明るさを検知する明るさセンサーを備える放送受信装置の制御方法であって、第１の時点における明るさを、前記明るさセンサーを用いて検知するステップと、前記第１の時点から所定時間経過後の第２の時点における明るさを、前記明るさセンサーを用いて検知するステップと、前記第１の時点と前記第２の時点の明るさの差が閾値を超えているか否かを判定するステップと、前記第１の時点と前記第２の時点の明るさの差が前記閾値を超えていた場合に、前記放送受信装置がオフ状態からオン状態になるように電源制御を行うステップとを有することを特徴とする。
【発明の効果】
【０００９】
本発明では、明るさセンサーが電源制御に供されている。このため、ユーザーが視聴可能な状態である場合に、放送受信装置をオフ状態からオン状態となるように電源を制御することができ、従来技術に比べて無駄な消費電力を抑えることが可能となる。
【発明を実施するための最良の形態】
【００１０】
以下、この発明の最良の実施形態について、図面を参照しながら説明する。図１は、本実施形態で説明するテレビジョン放送受信装置１１１の外観の一例を概略的に示している。
【００１１】
すなわち、テレビジョン放送受信装置１１１は、主として、薄型のキャビネット１１２と、このキャビネット１１２を起立させて支持する支持台１１３とから構成されている。そして、キャビネット１１２には、例えば液晶表示パネル等を備えた平面パネル型ディスプレイである映像表示器１１４、一対のスピーカ１１５、操作部１１６、リモートコントローラ１１７から送信される操作情報を受けるリモコン受光部１１８等が設置されている。
【００１２】
また、明るさセンサー１１９がリモコン受光部１１８に隣接して設けられている。明るさセンサー１１９は、テレビジョン放送受信装置１１１が設置された室内の明るさを取得する機能を有している。なお、明るさの取得に問題がなければ、明るさセンサー１１９はキャビネット１１２の上部等の任意の位置に配置されてよい。明るさセンサーとしては、例えばフォトダイオードのように、受ける光の量に応じて発生する電流量が変化する素子が挙げられる。
【００１３】
図２は、上記したテレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００１４】
そして、このチューナ２４５で選局された放送信号は、ＰＳＫ（Phase Shift Keying）復調器２４６に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００１５】
また、地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００１６】
そして、このチューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００１７】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００１８】
そして、信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。また、制御部２６１に含まれるチャンネル情報検出部２５６には、ＴＳ復号器２４７及びＴＳ復号器２５３からデータが供給される。チャンネル情報検出部２５６では、供給されたデータ信号からＰＳＩ／ＳＩ(Program Specific Information/Service Information)が検出される。
【００１９】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００２０】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００２１】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２２】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。また、テレビジョン放送受信装置１１１は、現在時刻を計測する時計２８０を備えている。
【００２３】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から前記受光部１１８を介して受信した操作情報を受けて、その操作内容が反映されるように各部をそれぞれ制御している。
【００２４】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、オンタイマー時刻や各種の設定情報及び制御情報等が格納される不揮発性メモリ２６１ｃとを利用している。
【００２５】
また、制御部２６１には、明るさセンサー１１９で取得した周囲の明るさに応じて、画質を自動調整するための画質調整制御部２６１ｄが含まれている。具体的には例えば、明るさセンサー１１９で取得した周囲の明るさに応じて、画質調整制御部２６１ｄは映像表示器１１４における液晶のバックライトの光量を段階的に自動調整し、これにより昼間の明るい部屋であっても、夜の暗い部屋であっても、快適な明るさでユーザーはテレビを楽しむことができる。
【００２６】
また、制御部２６１には、時計２８０及び明るさセンサー１１９の各出力が供給された電源切替制御部２６１ｅが含まれている。電源切替制御部２６１ｅは、予め設定された時刻になった際にテレビジョン放送受信装置１１１の電源がオフの状態から、映像表示や音声出力がなされるオンの状態（動作状態）となるように構成されている。なお、ここでいうオフの状態は、主電源が入っていない状態だけに限らず、いわゆる待機状態（リモートコントローラ１１７の電源ボタンで電源を切った状態）も含む。
【００２７】
また、電源切替制御部２６１ｅの制御によって、テレビジョン放送受信装置１１１は、いわゆるオンタイマー機能を有している。すなわち、ユーザーは映像表示機１１４に表示される所定のメニュー画面をリモートコントローラ１１７で操作することによって、オンタイマー機能のオン／オフ及びその関連項目（オン時刻、オフ時刻、音量、曜日、視聴時間など）を設定することができる。オンタイマー機能をオンに設定すると、設定時刻後に電源がオフの状態からオン状態となるように電源切替制御部２６１ｅは制御する。
【００２８】
また、本実施形態では、このようなオンタイマー機能に加えて、明るさセンサーを協働させたオンタイマー機能（以下、明るさオンタイマー機能）のオン／オフ及びこの関連項目を設定することができる。例えば、操作部１１６やリモートコントローラ１１７の操作に応じて映像表示機１１４に、図３に示すような、明るさオンタイマー機能の実施の有無をユーザーが任意に選択できる構成にすることができる。
【００２９】
次に、本実施形態に係る放送受信装置１１１の明るさオンタイマー機能がオンに設定されている場合の動作について、図４のフローチャートを参照しながら説明する。なお、スタート時点では、放送受信装置がオフの状態であって、映像や音声の出力がなされていないことを前提として以下説明する。
【００３０】
まず、ユーザーは、リモートコントローラ１１７や操作部１１６の操作によって、明るさオンタイマー機能が実行される時刻（以下、明るさオンタイマー時刻と称する）を事前に設定しておく。明るさオンタイマー時刻は、不揮発性メモリ２６１ｃ等の記憶手段を用いて記憶しておく。
【００３１】
次に、制御部２６１は、時計２８０で計測されている現在時刻と、ユーザーが設定した明るさオンタイマー時刻の比較を行い、両者が一致するか否かを判定する（ステップ４０１）。
【００３２】
両者の時刻が一致した場合、明るさセンサー１１９及びその検知動作に必要最小限な回路構成が動作し始める。つまり、この時点では、映像や音声の出力に関わる回路は動作せず、あくまでも明るさセンサー１１９の検知に必要最小限の回路のみを動作させることが、低消費電力化を図る上で好ましい。なお、ユーザーが設定した時刻の所定時間前（例えば１分前）に明るさセンサー１１９及びその検知動作に必要最小限な回路構成を起動させる仕様にすることも可能である。
【００３３】
そして、明るさセンサー１１９の動作モードを、通常モードから明るさオンタイマー用の動作モード（明るさオンタイマーモードと称する）に切り替え、これによって明るさセンサー１１９の検知特性を変更することが好ましい（ステップ４０２）。
【００３４】
ここでいう通常モードとは、明るさセンサー１１９の検知結果（明るさセンサーで取得した明るさ）に応じて画質調整制御部２６１ｄによる画質の自動調整が行われる際の動作モードである。
【００３５】
一方、明るさオンタイマーモードは、明るさセンサー１１９の検知結果を、電源切替制御部２６１ｅを介して、電源のオン動作に用いる際の動作モードである。このように、通常モードと明るさオンタイマーモードでは、明るさセンサー１１９の検知特性に差を持たせている。すなわち、明るさオンタイマーモードでは、周囲の明るさの変化に対する検知特性（検知能力）を通常モードのそれと比べて高くなるように設定しており、通常モードに比べて僅かな明るさの変化をも検知することができるモードである。
【００３６】
このように、使用目的に応じて明るさセンサー１１９の検知特性に差を持たせているのは、通常モードと明るさオンタイマーモードでは、明るさセンサー１１９に求められる特性が異なるという前提に基づいている。つまり、通常モードにおける明るさセンサー１１９が明るさの変化に対して過剰に敏感であると、必ずしも望まない画質調整が頻繁に行われるようになってしまい、ひいては不具合が生じる可能性もある。
【００３７】
これに対して、明るさオンタイマーモードでは、後述するように明るさセンサー１１９は周囲の明るさの変化に対する検知能力が通常よりも高いことが求められる。以上のような理由から、本実施形態では、通常モードと明るさオンタイマーモードでは、明るさセンサー１１９の検知特性に差を持たせ、通常モード及び明るさオンタイマーモードのそれぞれにおける明るさセンサー１１９の動作が実際の使用環境で最適となるように設計されている。
【００３８】
次に、明るさセンサー１１９は、室内の明るさに応じた入力値を取得し（ステップ４０３）、取得した入力値が安定したか否かを検知する（ステップ４０４）。具体的には、一定時間間隔ごとに入力値を取得し、その幾つかの入力値が平均的に同じである場合には、入力値が安定したと判断し、その逆の場合には、ステップ４０４を繰り返す。
【００３９】
次に、取得した入力値が安定したと判断した場合には、当該安定した入力値を基準値として記憶領域（本実施形態では不揮発性メモリ２６１ｃ）に保持する（ステップ４０５）。
【００４０】
次に、明るさセンサー１１９は、明るさオンタイマー時刻経過後の室内の明るさの状態を監視する。つまり、明るさセンサー１１９は、任意時間経過後、再度室内の明るさに応じた入力値を取得し（ステップ４０６）、取得した入力値が安定したか否かを検知する（ステップ４０７）。そして、取得した入力値が安定したと判断した場合には当該安定した入力値を記憶領域（不揮発性メモリ２６１ｃ）に保持する（ステップ４０８）。このように、ステップ４０６〜４０８は、ステップ４０３〜ステップ４０５と同様のステップである。
【００４１】
次に、最初に取得した基準値と、その後に取得した入力値との差が所定の閾値を超えたか否かが判定される（ステップ４０９）。基準値と入力値の差が大きければ明るさの変化が大きいことを意味し、逆にそれらの差が小さければ明るさの変化が小さいということを意味する。従って、ステップ４０９では、ある時間間隔における明るさの変化の度合いを判定している。明るさオンタイマーモードでは、このように明るさの変化を的確に検知する必要があるため、明るさセンサー１１９は周囲の明るさの変化に対する検知能力が通常よりも高いことが好ましい。なお、ここで用いられる閾値は、ユーザーが所定のメニュー画面で設定できる構成であってもよいし、製造時点で固定されている構成であってもよい。
【００４２】
両者の差が閾値を超えた場合、電源切替制御部２６１ｅは、テレビジョン放送受信装置１１１をオフ状態からオン状態となるように制御する（ステップ４１０）。従って、映像表示器１１４には映像表示がなされたり、スピーカ１１５を介して音声が出力される。
【００４３】
次に、制御部２６１の制御によって、明るさセンサー１１９の動作モードを、明るさオンタイマーモードから通常モードに切り替える（ステップ４１１）。明るさオンタイマーモードとしての明るさセンサー１１９の役割は終了しているためであり、また、テレビジョン放送受信装置１１１がオン状態となった後に、通常モードに切り替えることで、部屋の明るさに応じた快適な明るさでユーザーはテレビジョン放送受信装置１１１を楽しむことができるからである。
【００４４】
一方、ステップ４０９において、基準値と入力値との差が閾値を超えていない場合には、ステップ４０６へと戻る。ただし、ステップ４０６〜ステップ４０９を何度繰り返しても閾値を超えない場合（すなわち明るさ変化が全くないか非常に少ない場合）に、同じ動作を延々と繰り返すのは明るさセンサー１１９の検知動作による消費電力が増えるため好ましくない。そのため、本実施形態では、最初にステップ４０９を行った時点から一定時間経過したか否かをステップ４０９の後に制御部２６１が判定し（ステップ４１２）、一定時間経過した場合には、ステップ４０９からステップ４０６に戻らず、明るさセンサー１１９の動作を終了させる（ステップ４１３）。なお、図示はしないが、ステップ４１３の後にステップ４１１で示したように、明るさセンサー１１９の動作モードを、明るさオンタイマーモードから通常モードに切り換えてもよい。
【００４５】
本実施形態で特筆すべきは、周囲の明るさの変化が一つの要因となって放送受信装置の電源がオフ状態からオン状態となるように制御されている点であり、そして、ある設定時刻になった場合でも、周囲の明るさの変化が少ない場合には、放送受信装置がオン状態にならない点である。
【００４６】
本実施形態に係る放送受信装置は、例えば以下のような状況に対して活用することが可能である。例えば、朝７時に上記明るさオンタイマー機能が設定されており、ユーザーが不在である状況を考える。ユーザーが不在の状況では、ユーザーが室内照明をオンすることやカーテンを開けること等が無く、つまりはテレビジョン放送受信装置１１１の周囲の明るさが急激に変化することは少ないと考えられる。従って、図４のステップ４０９からステップ４１２、４１３の流れで動作するため、当該テレビジョン放送受信装置１１１がオン状態になることが防止され、無駄な消費電力を抑えることができる。
【００４７】
また、例えば、朝７時に上記明るさオンタイマー機能が設定されており、ユーザーが就寝している状況（テレビジョン放送受信装置１１１の周囲が暗い状態）を考える。ユーザーが朝７時になって起床すると、ユーザーは室内照明を点灯したり、カーテンを開けて外光を室内に取り入れる行為をすることが通常である。かかる状況では、室内照明が点灯したり、カーテンを開けることによって外光が取り入れる等して、テレビジョン放送受信装置１１１の周囲の明るさが急激に変化すると考えられる。従って、上記閾値を超える明るさの変化があるため、図４のステップ４０９からステップ４１０、４１１の流れでテレビジョン放送受信装置１１１が動作する。このような場合は、ユーザーが室内に存在し、テレビジョン放送受信装置１１１を視聴可能な状態である。従って、動作上問題がなく、周囲の明るさの変化がテレビジョン放送受信装置１１１のオン状態へのトリガーになっているため、テレビジョン放送受信装置１１１をオンさせるためのリモートコントローラ１１７のボタン操作を省けるメリットがある。
【００４８】
以上説明したように、本発明では、明るさセンサーが電源制御に供されている。そのため、従来に比べてユーザーが実際に視聴可能な状態にある場合に放送受信装置がオン状態となる。すなわち、ユーザーが視聴する状況にない状態（例えばユーザー不在の状態）では、放送受信装置がオン状態になることはないため、無駄な消費電力を抑えることが可能となる。
【００４９】
（変形例）
また、以下に説明するようにテレビジョン放送受信装置１１１のオン動作を行うことも出来る。上記実施形態では、ステップ４０２、４１１で示したように、明るさセンサー１１９の動作モードを切り換えていた。これは明るさセンサー１１９の検知結果を用いて映像表示器１１４の画質調整を行うといことが前提であった。これに対して、明るさセンサー１１９に基づく画質調整モードの機能を有しないテレビジョン放送受信装置であれば、明るさセンサー１１９の動作モードを切り替える必要が無いため、上記したステップ４０２、４１１を省略することも可能である。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５１】
なお、通常モードと明るさオンタイマーモードで明るさセンサー１１９の検知特性に差を持たせないようにすることも可能である。
【図面の簡単な説明】
【００５２】
【図１】本実施形態に係る放送受信装置の外観を説明するための図である。
【図２】本実施形態に係る放送受信装置の主要な信号処理系を示す図である。
【図３】本実施形態に係る放送受信装置の動作の一部を示す図である。
【図４】本実施形態に係る放送受信装置の動作を示すフローチャート図である。
【符号の説明】
【００５３】
１１１…テレビジョン放送受信装置、１１２…キャビネット、１１３…支持台、１１４…映像表示器、１１５…スピーカ、１１６…操作部、１１７…リモートコントローラ、１１８…受光部、１１９…明るさセンサー、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５６…チャンネル情報検出部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６１ｄ・・・画質調整制御部、２６１ｅ・・・電源切替制御部。
【図１】
2009194756.tif 000003
【図２】
2009194756.tif 000004
【図３】
2009194756.tif 000005
【図４】
2009194756.tif 000006